(57)【特許請求の範囲】
【請求項１】
画像を処理又は伝送する画像情報機器の本体に対して着脱可能な画像情報取得装置において、
原稿を１次元走査することにより画像情報として読み取るラインイメージセンサと、該ラインイメージセンサと読み取り原稿との相対移動により回転する検出ローラとを備えた第１の画像情報取得手段と、
該第１の画像情報取得手段と一体で構成され、かつ、エリアイメージセンサと撮像レンズとを備えた第２の画像情報取得手段と、
前記検出ローラの回転情報を検出するエンコーダ監視手段と、
前記第１あるいは第２の画像情報取得手段に対して画像情報の取得の開始を指示するスタートキーと、を備えて、
前記スタートキーの押下が検出された後、あらかじめ定められた所定時間内に、前記エンコーダ監視手段が、前記検出ローラの回転を検出した場合には、前記第１の画像情報取得手段が画像情報の取得を開始し、一方、前記スタートキーの押下が検出された後、あらかじめ定められた所定時間内に、前記エンコーダ監視手段が、前記検出ローラの回転を検出しなかった場合にあっては、前記第２の画像情報取得手段があらかじめ取得していた画像情報を、出力すべき画像情報として確定することを特徴とする画像情報取得装置。
【請求項２】
画像を処理又は伝送する画像情報機器の本体に対して着脱可能な画像情報取得装置において、
原稿を１次元走査することにより画像情報として読み取るラインイメージセンサと、該ラインイメージセンサと読み取り原稿との相対移動により回転する検出ローラとを備えた第１の画像情報取得手段と、
該第１の画像情報取得手段と一体で構成され、かつ、エリアイメージセンサと撮像レンズとを備えた第２の画像情報取得手段と、
前記検出ローラの回転情報を検出するエンコーダ監視手段と、
前記第１あるいは第２の画像情報取得手段に対して画像情報の取得の開始を指示するスタートキーと、を備えて、
前記スタートキーの押下が検出された後、前記エンコーダ監視手段が、前記検出ローラの回転を検出した場合には、前記第１の画像情報取得手段が画像情報の取得を開始し、一方、１回目の前記スタートキーの押下が検出された後、前記エンコーダ監視手段が、前記検出ローラの回転をまだ検出していない状態において２回目の前記スタートキーの押下が検出された時、前記第２の画像情報取得手段があらかじめ取得していた画像情報を、出力すべき画像情報として確定することを特徴とする画像情報取得装置。
【請求項３】
画像を処理又は伝送する画像情報機器の本体に対して着脱可能な画像情報取得装置において、
原稿を１次元走査することにより画像情報として読み取るラインイメージセンサと、該ラインイメージセンサと読み取り原稿との相対移動により回転する検出ローラとを備えた第１の画像情報取得手段と、
該第１の画像情報取得手段と一体で構成され、かつ、エリアイメージセンサと撮像レンズとを備えた第２の画像情報取得手段と、
前記検出ローラの回転情報を検出するエンコーダ監視手段と、
前記第１あるいは第２の画像情報取得手段に対して画像情報の取得の開始を指示するスタートキーと、を備えて、
前記スタートキーの押下が検出された後、あらかじめ定められた所定時間内に、前記エンコーダ監視手段が、前記検出ローラの回転を検出した場合には、前記第１の画像情報取得手段が画像情報の取得を開始し、一方、前記スタートキーの押下が検出された後、あらかじめ定められた所定時間内に、前記エンコーダ監視手段が、前記検出ローラの回転を検出しなかった場合にあっては、前記第２の画像情報取得手段が画像情報の取得を開始することを特徴とする画像情報取得装置。
【請求項４】
画像を処理又は伝送する画像情報機器の本体に対して着脱可能な画像情報取得装置において、
原稿を１次元走査することにより画像情報として読み取るラインイメージセンサと、該ラインイメージセンサと読み取り原稿との相対移動により回転する検出ローラとを備えた第１の画像情報取得手段と、
該第１の画像情報取得手段と一体で構成され、かつ、エリアイメージセンサと撮像レンズとを備えた第２の画像情報取得手段と、
前記検出ローラの回転情報を検出するエンコーダ監視手段と、
前記第１あるいは第２の画像情報取得手段に対して画像情報の取得の開始を指示するスタートキーと、を備えて、
前記スタートキーの押下が検出された後、前記エンコーダ監視手段が、前記検出ローラの回転を検出した場合には、前記第１の画像情報取得手段が画像情報の取得を開始し、一方、１回目の前記スタートキーの押下が検出された後、前記エンコーダ監視手段が、前記検出ローラの回転をまだ検出していない状態において２回目の前記スタートキーの押下が検出された時、前記第２の画像情報取得手段が画像情報の取得を開始することを特徴とする画像情報取得装置。
【請求項５】
請求項３又は４に記載の画像情報取得装置において、前記第２の画像情報取得手段が画像情報の取得を開始した後、１フレーム分の画像情報が取得された際に、当該取得された前記画像情報を、出力すべき画像情報として確定することを特徴とする画像情報取得装置。
【請求項６】
請求項１乃至５のいずれかに記載の画像情報取得装置において、
１回目の前記スタートキーの押下が検出され、前記第１の画像情報取得手段が画像情報の取得を開始した後、２回目の前記スタートキーの押下が検出された時、前記第１の画像情報取得手段により取得されていた画像情報を、出力すべき画像情報として確定することを特徴とする画像情報取得装置。
【請求項７】
請求項１乃至６のいずれかに記載の画像情報取得装置において、前記スタートキーの押下が検出され、前記第１の画像情報取得手段が画像情報の取得を開始した後、１ページ分の画像情報が取得された際に、当該取得された前記画像情報を、出力すべき画像情報として確定することを特徴とする画像情報取得装置。
【請求項８】
請求項１乃至７のいずれかに記載の画像情報取得装置において、前記スタートキーが、前記第１の画像情報取得手段と一体形成されていることを特徴とする画像情報取得装置。
【請求項９】
請求項１乃至８のいずれかに記載の画像情報取得装置において、前記第２の画像情報取得手段が、前記第１の画像情報取得手段と着脱自在な形態で構成され、かつ、画像情報取得装置本体と、有線信号及び／又は無線信号により相互通信が可能となっていることを特徴とする画像情報取得装置。
【請求項１０】
請求項１乃至９のいずれかに記載の画像情報取得装置において、前記第１及び第２の画像情報取得手段を備えた当該画像情報取得装置が着脱可能とされている画像情報機器との間で、有線信号及び／又は無線信号により相互通信が可能となっていることを特徴とする画像情報取得装置。
【請求項１１】
請求項１乃至１０のいずれかに記載の画像情報取得装置を備えていることを特徴とする画像情報機器。
【発明の詳細な説明】
【０００１】
【発明の属する技術分野】
本発明は、画像情報取得装置及び画像情報機器に関し、特に、ハンドスキャナとカメラユニットとからなる画像情報取得装置及び該画像情報取得装置を備えた画像情報機器に関する。
更に、詳細には、ハンドスキャナあるいはカメラユニットのいずれの画像信号を取り込むかを自動的に判断して、判断された一方の画像情報を取得して、取得された画像情報を表示したり、印刷したり、蓄積したり、あるいは、送信したりすることが可能な画像情報取得装置及び画像情報機器に関する。
また、かかる画像情報取得装置を有する画像情報機器としては、例えば、ファクシミリ装置やワードプロセッサや画像複写装置あるいは画像処理装置などの各種画像情報機器が適用可能である。
【０００２】
【従来の技術】
最近の画像情報機器例えばファクシミリ装置においては、書籍内の特定のページや新聞記事の一部など定型外の文書であっても、読み取って送信したいとの要望を満たすために、例えば、特公平７−１１００３０号公報「画像データ伝送装置」において、ラインイメージセンサを備えたハンドスキャナによって読み取られたデータの印刷や送信を可能とする手段が提案されており、既に実用化されてきている。
【０００３】
本公報においては、原稿が画像情報取得装置の挿入口に挿入できない程、大きいサイズの原稿を読み取りたい場合や、本など冊子状の原稿中の任意のページを読み取りたい場合など、いわゆる定型外の文書を読み取る場合、画像情報取得装置即ち前記ハンドスキャナを画像情報機器本体部から取り外して、手操作により、原稿上を押圧走査することを可能としているものである。
【０００４】
而して、画像情報取得装置の装着状態にあって、かつ、電話回線と接続状態の場合には、読み取った原稿を送信する送信モードとなり、一方、電話回線と非接続状態の場合には、印刷動作が行なわれる複写モードに自動的に切り換わり、更には、画像情報取得装置が非装着状態にあって、かつ、電話回線と接続状態の場合には送信モードとなり、一方、電話回線と非接続状態の場合にはメモリ送信モードに自動的に切り換わることにより、操作性を向上させている。
【０００５】
一方、前述のごとく、書籍や新聞などの定型外の文書であっても送信又は印刷したいという要望とは別に、送信者の顔写真や家具などの立体物を直接ファクシミリ通信により送信したりあるいは印刷したりしたいとの要望を満たす手段として、画像情報機器であるファクシミリ装置に画像情報取得装置としてテレビカメラを接続して、該テレビカメラにより撮像された画像を電送する方法や、あるいは、画像情報取得装置として前記ハンドスキャナに更にエリアイメージセンサを備えた撮像手段を設けて、立体物をエリアイメージセンサにより直接撮像して送信することが可能なファクシミリ装置が提案されている。
【０００６】
例えば、特開平４−１７０１５０号公報「テレビカメラ付きファクシミリ装置」あるいは特開平８−１８１８０９号公報「カメラ付きファクシミリ装置」においては、それぞれテレビカメラあるいはデジタルカメラなどにより撮像された映像情報を原稿情報として、ファクシミリ送信を行なうようにされたカメラ入力付きファクシミリ装置が提案されている。
【０００７】
即ち、特開平４−１７０１５０号公報においては、画像メモリに記憶し送信すべき対象となる画情報を、テレビカメラからビデオインタフェース及び画像処理部を介して入力された画情報とするか、あるいは、シート状原稿をラインイメージセンサにより走査して入力された画情報とするかのいずれかを選択する手段を設けている。
而して、テレビカメラを用いて送信者の顔写真などの立体的な画情報を直接入力して相手先に送信することを可能とし、立体物に対する情報伝達の信頼性や効率を向上させんとしている。
【０００８】
一方、特開平８−１８１８０９号公報においては、デジタルカメラからカメラインタフェース部を介して供給される複数フレーム分の映像情報に対して、それぞれフレーム識別情報を発生させ、該フレーム識別情報と対応する前記映像情報とを合成した合成画像情報を生成して、画像メモリに格納し、かつ、該合成画像情報を印字部にて確認印刷させたり、ユーザが指定したフレーム識別情報に対応する映像情報を選択して、相手側に送信したりするものであり、大画面の表示装置を用いることなく、デジタルカメラの撮影状態の確認を行なって、撮影ミスがある映像の送信を防止せんとするものである。
【０００９】
また、特開平９−９０１４号公報「エリアイメージセンサ付き画像処理装置」においては、画像情報取得装置であるペン型入力装置として撮像レンズや固体撮像素子を平面状に配列してなるＣＣＤエリアイメージセンサなどを備えた撮影手段を設けて、該撮影手段を電子カメラとして機能させるか、あるいは、印刷物などを手動走査するハンドスキャナとして機能させるかを任意に選択することができる手段が提示されている。
即ち、本公報においては、前記ペン型入力装置に設けられたモードスイッチにより、電子カメラモードが選択されていると、ＣＣＤエリアイメージセンサの被写体像を１画面分の画像情報として、携帯端末装置に転送するが、スキャナモードが選択されている場合は、前記ペン型入力装置を移動させながら記録紙上を走査すると、複数画面分のＣＣＤエリア画像の中から重複部分を切り捨てて、非重複部分のみを連続画像として、携帯端末装置に転送することを可能とするものであり、単一の携帯端末装置であっても、広範囲の情報収集が可能となるものである。
【００１０】
また、特開２０００−１３４３８６号公報「ファクシミリ装置」においては、画像情報機器であるファクシミリ装置本体に、着脱式ハンドスキャナ部と、該ハンドスキャナと同一インタフェースを有するビデオアダプタとを選択的に接続して共用することができる接続部を設けることにより、デジタルカメラなど外部画像機器をビデオアダプタを介して接続したい場合には、ファクシミリ装置本体に設けられている着脱式ハンドスキャナの接続部に、該ハンドスキャナと同一インタフェースによって接続して、ビデオアダプタからの画像データを、前記着脱式ハンドスキャナの読取部と同じ信号形式に変換して、ファクシミリ装置に入力する信号変換アダプタが設けられている構成が提示されている。而して、複数の接続部を設けることに伴うスペースの増大を防ぎ、コストアップを防ぐと共に、ユーザにも取扱い易いファクシミリ装置を実現せんとしている。
【００１１】
【発明が解決しようとする課題】
しかしながら、前述したデジタルカメラを接続するインタフェースを備えたり、あるいは、エリアイメージスキャナが組み込まれた従来の画像情報機器例えばファクシミリ装置にあっては、画像情報を取得する際に、原稿を走査して読み取りを行なうためのスキャナ操作とデジタルカメラからの画像入力操作や電子カメラ操作との切り替えが複雑で、煩わしいという課題が存在している。
【００１２】
また、画像情報取得装置としてデジタルカメラが接続されるインタフェースを備えている従来の画像情報機器例えばファクシミリ装置にあっては、ファクシミリ装置本体側に、デジタルカメラなどの外部画像機器との接続口を設けるために余分のスペースを必要とし、また、かかる外部画像機器を接続して画像入力を可能とするためのハードウェアやソフトウェアの追加が必要となり、本体側の開発負荷が増大すると共に、本体のスペースも大きくなり、かつ、本体価格も高くなってしまうという弊害もある。
【００１３】
更には、操作者にとっても、特に、主婦や高齢者など、取扱いが不慣れなユーザにとっては、接続口数が増加することに伴って、外部画像機器の接続操作などの準備が複雑となり、煩わしくなるという課題もある。
【００１４】
本発明は、かかる課題に鑑みてなされたものであり、画像情報取得手段として、ラインイメージセンサと検出ローラとを備えた第１の画像情報取得手段例えばハンドスキャナと、エリアイメージセンサと撮像レンズとを備えた第２の画像情報取得手段例えばカメラユニットと、の２つの手段を一体化させたカメラユニット付きハンドスキャナを形成し、かつ、前記２つの手段のいずれが選択されているかを、ハンドスキャナ側にて自動的に検出して、検出された一方のみから画像情報の取得を行なうという動作を可能にせんとするものである。
【００１５】
更に、ハンドスキャナとカメラユニットとからのそれぞれの画像出力信号を、共通する同様のデジタル画像信号形式に変換して、当該画像情報取得手段から出力して、画像情報を処理したり送信したりする画像情報機器例えばファクシミリ装置本体に入力することを可能にせんとするものである。
【００１６】
而して、操作性がより簡素化された画像情報取得装置及び該画像情報取得装置を備えた画像情報機器を提供せんとするものであり、かかる画像情報取得装置を備えた画像情報機器としては、ファクシミリ装置のみならず、スキャナ装置や、あるいは、何らかの手段により入力された画像情報に対して加工・編集などの処理を施す画像処理装置にも適用可能にせんとするものである。
【００１７】
【課題を解決するための手段】
本発明に係る画像情報取得装置及び画像情報機器は、前述の目的を達成するために、以下のごとき具体的な技術手段から構成されている。
【００１８】
第１の技術手段は、画像を処理又は伝送する画像情報機器の本体に対して着脱可能な画像情報取得装置において、原稿を１次元走査することにより画像情報として読み取るラインイメージセンサと、該ラインイメージセンサと読み取り原稿との相対移動により回転する検出ローラとを備えた第１の画像情報取得手段と、該第１の画像情報取得手段と一体で構成され、かつ、エリアイメージセンサと撮像レンズとを備えた第２の画像情報取得手段と、前記検出ローラの回転情報を検出するエンコーダ監視手段と、前記第１あるいは第２の画像情報取得手段に対して画像情報の取得の開始を指示するスタートキーと、を備えて、前記スタートキーの押下が検出された後、あらかじめ定められた所定時間内に、前記エンコーダ監視手段が、前記検出ローラの回転を検出した場合には、前記第１の画像情報取得手段が画像情報の取得を開始し、一方、前記スタートキーの押下が検出された後、あらかじめ定められた所定時間内に、前記エンコーダ監視手段が、前記検出ローラの回転を検出しなかった場合にあっては、前記第２の画像情報取得手段があらかじめ取得していた画像情報を、出力すべき画像情報として確定する画像情報取得装置とすることを特徴とするものである。
【００１９】
第２の技術手段は、画像を処理又は伝送する画像情報機器の本体に対して着脱可能な画像情報取得装置において、原稿を１次元走査することにより画像情報として読み取るラインイメージセンサと、該ラインイメージセンサと読み取り原稿との相対移動により回転する検出ローラとを備えた第１の画像情報取得手段と、該第１の画像情報取得手段と一体で構成され、かつ、エリアイメージセンサと撮像レンズとを備えた第２の画像情報取得手段と、前記検出ローラの回転情報を検出するエンコーダ監視手段と、前記第１あるいは第２の画像情報取得手段に対して画像情報の取得の開始を指示するスタートキーと、を備えて、前記スタートキーの押下が検出された後、前記エンコーダ監視手段が、前記検出ローラの回転を検出した場合には、前記第１の画像情報取得手段が画像情報の取得を開始し、一方、１回目の前記スタートキーの押下が検出された後、前記エンコーダ監視手段が前記検出ローラの回転をまだ検出していない状態において２回目の前記スタートキーの押下が検出された時、前記第２の画像情報取得手段があらかじめ取得していた画像情報を出力すべき画像情報として確定することを特徴とするものである。
【００２０】
第３の技術手段は、画像を処理又は伝送する画像情報機器の本体に対して着脱可能な画像情報取得装置において、原稿を１次元走査することにより画像情報として読み取るラインイメージセンサと、該ラインイメージセンサと読み取り原稿との相対移動により回転する検出ローラとを備えた第１の画像情報取得手段と、該第１の画像情報取得手段と一体で構成され、かつ、エリアイメージセンサと撮像レンズとを備えた第２の画像情報取得手段と、前記検出ローラの回転情報を検出するエンコーダ監視手段と、前記第１あるいは第２の画像情報取得手段に対して画像情報の取得の開始を指示するスタートキーと、を備えて、前記スタートキーの押下が検出された後、あらかじめ定められた所定時間内に、前記エンコーダ監視手段が、前記検出ローラの回転を検出した場合には、前記第１の画像情報取得手段が画像情報の取得を開始し、一方、前記スタートキーの押下が検出された後、あらかじめ定められた所定時間内に、前記エンコーダ監視手段が、前記検出ローラの回転を検出しなかった場合にあっては、前記第２の画像情報取得手段が画像情報の取得を開始する画像情報取得装置とすることを特徴とするものである。
【００２１】
第４の技術手段は、画像を処理又は伝送する画像情報機器の本体に対して着脱可能な画像情報取得装置において、原稿を１次元走査することにより画像情報として読み取るラインイメージセンサと、該ラインイメージセンサと読み取り原稿との相対移動により回転する検出ローラとを備えた第１の画像情報取得手段と、該第１の画像情報取得手段と一体で構成され、かつ、エリアイメージセンサと撮像レンズとを備えた第２の画像情報取得手段と、前記検出ローラの回転情報を検出するエンコーダ監視手段と、前記第１あるいは第２の画像情報取得手段に対して画像情報の取得の開始を指示するスタートキーと、を備えて、前記スタートキーの押下が検出された後、前記エンコーダ監視手段が、前記検出ローラの回転を検出した場合には、前記第１の画像情報取得手段が画像情報の取得を開始し、一方、１回目の前記スタートキーの押下が検出された後、前記エンコーダ監視手段が前記検出ローラの回転をまだ検出していない状態において２回目の前記スタートキーの押下が検出された時、前記第２の画像情報取得手段が画像情報の取得を開始することを特徴とするものである。
【００２２】
第５の技術手段は、前記第３又は第４の技術手段に記載の画像情報取得装置において、前記第２の画像情報取得手段が画像情報の取得を開始した後、１フレーム分の画像情報が取得された際に、当該取得された前記画像情報を、出力すべき画像情報として確定することを特徴とするものである。
【００２３】
第６の技術手段は、前記第１乃至第５の技術手段のいずれかに記載の画像情報取得装置において、１回目の前記スタートキーの押下が検出され、前記第１の画像情報取得手段が画像情報の取得を開始した後、２回目の前記スタートキーの押下が検出された時、前記第１の画像情報取得手段により取得されていた画像情報を、出力すべき画像情報として確定することを特徴とするものである。
【００２４】
第７の技術手段は、第１乃至第６の技術手段のいずれかに記載の画像情報取得装置において、１回目の前記スタートキーの押下が検出され、前記第１の画像情報取得手段が画像情報の取得を開始した後、１ページ分の画像情報が取得された際に、当該取得された前記画像情報を、出力すべき画像情報として確定することを特徴とするものである。
【００２５】
第８の技術手段は、前記第１乃至第７の技術手段のいずれかに記載の画像情報取得装置において、前記スタートキーが、前記第１の画像情報取得手段と一体形成されている画像情報取得装置とすることを特徴とするものである。
【００２６】
第９の技術手段は、前記第１乃至第８の技術手段のいずれかに記載の画像情報取得装置において、前記第２の画像情報取得手段が、前記第１の画像情報取得手段と着脱自在な形態で構成され、かつ、画像情報取得装置本体と、有線信号又は無線信号により相互通信が可能となっている画像情報取得装置とすることを特徴とするものである。
【００２７】
第１０の技術手段は、前記請求項１乃至９の技術手段のいずれかに記載の画像情報取得装置において、前記第１及び第２の画像情報取得手段を備えた当該画像情報取得装置が着脱可能とされている画像情報機器との間で、有線信号及び／又は無線信号により相互通信が可能となっている画像情報取得装置とすることを特徴とするものである。
【００２８】
第１１の技術手段は、前記第１乃至第１０の技術手段のいずれかに記載の画像情報取得装置を備えている画像情報機器とすることを特徴とするものである。
【００２９】
【発明の実施の形態】
以下に、本発明に係る画像情報取得装置及び画像情報機器に関する実施の形態の一例について、図面を参照しながら説明する。
まず、本発明に係る画像情報取得装置の一例として、カメラユニット付きハンドスキャナの基本的な構成について、詳細に説明する。なお、以下に示す実施例については、本発明に係る画像情報取得装置を備えた画像情報機器として、ファクシミリ装置の場合を例として示すこととするが、本発明は、かかる場合に限るものではなく、前述のように、スキャナ装置などの画像形成装置をはじめ何らかの手段により入力された画像情報を処理する他の画像処理装置であっても適用することが可能である。
【００３０】
図１は、本発明に係る画像情報取得装置を備えた画像情報機器の一例として、カメラユニット付きハンドスキャナを備えたファクシミリ装置の全体構成を示す斜視図である。
図１において、ファクシミリ装置本体１０は、従来のハンドスキャナ付きファクシミリ装置例えば特公平７−１１００３０号公報における画像データ伝送装置の本体と、基本的には、同様な構成からなっているものである。また、ファクシミリ装置本体１０は、従来のファクシミリ装置と同様に、ダイヤル番号を指定するためのダイヤルキーや、送信開始・停止など各種操作を指示する操作キーからなる操作部５と、ファクシミリ装置の状態や案内情報あるいは送信対象となる画像情報などを表示する表示装置６とを備えている。
【００３１】
更には、ファクシミリ装置本体１０には、従来と同様に、画像情報取得装置として、着脱可能なハンドスキャナ３が装備されているが、本発明にあっては、ハンドスキャナ３に更にカメラユニット１が一体化されて取り付けられている。
即ち、本発明に係る画像情報取得装置は、ラインイメージセンサにより１次元走査された画像情報を取得する第１の画像情報取得手段であるハンドスキャナ３と、ＣＣＤなどのエリアイメージセンサにより撮像された画像情報を取得する第２の画像情報取得手段であるカメラユニット１との２つの画像情報取得手段から構成されている。
【００３２】
また、図２は、図１に示すカメラユニット１が取り付けられたハンドスキャナ３をファクシミリ装置本体１０から取り外した状態を示す斜視図である。図２（Ａ）は、ハンドスキャナ３の筐体とファクシミリ装置本体１０とが有線接続されて、相互に有線信号により通信が行なわれる場合を示し、また、図２（Ｂ）は、ハンドスキャナ３の筐体に設けられている無線送受信部３ｗとファクシミリ装置本体１０に設けられている無線送受信部８との間で無線信号により通信が行なわれる場合を示している。
【００３３】
図１及び図２に示すように、カメラユニット１には、撮像レンズ２が備えられている。また、図１及び図２には図示されていないが、カメラユニット１には、撮像レンズ２を介して入力された画像情報を電気信号に変換するためのＣＣＤなどのエリアイメージセンサ及び該エリアイメージセンサを駆動するための駆動回路、更には、エリアイメージセンサにより電気信号に変換された画像情報を所定の形式のデジタル画像データに変換するＡ／Ｄ変換回路が内蔵されている。
【００３４】
更に、図３は、図１に示すカメラユニット１が取り付けられたハンドスキャナ３を下方より見た場合の斜視図を示すものであるが、図３に示すように、ハンドスキャナ３の下面は、従来のファクシミリ装置にて採用されているハンドスキャナと基本的にはほとんど同一である。即ち、読取り対象となる原稿面と接触する下面には、図３に示すように、ラインイメージセンサ３ｂと搬送ローラ即ち検出ローラ３ｒとが備えられている。
【００３５】
ラインイメージセンサ３ｂは、図示していない照明手段により１次元走査された原稿面からの反射光を検出して、画像情報として読み取り、電気信号に変換して出力するものである。
また、検出ローラ３ｒは、ハンドスキャナ３の原稿面上の移動量を検出するものである。即ち、静止状態にある原稿面上を手動操作によりハンドスキャナ３を移動させたり、逆に、ハンドスキャナ３の下面に沿って原稿を走行させたりすると、ラインイメージセンサ３ｂと原稿との相対移動によって回転することにより、即ち、検出ローラ３ｒが回転軸を介して自由に回転することにより、該回転軸と同軸又はギヤを介して設置されているパルス円盤や磁気円盤（図示していない）などの回転角検出手段により、原稿面上の移動量を検出することができる。
【００３６】
前記回転角検出手段は、エンコーダと連動しており、該エンコーダは、検出された前記移動量に応じた電気的な出力パルス信号即ちエンコーダ信号を発生させて、取得された画像情報の原稿面上の位置を感知させると共に、ハンドスキャナ３が動かされている旨を示す信号を供給することにより、画像情報取得装置における動作モードを制御可能としている。なお、エンコーダが出力するエンコーダ信号については、後に詳細に説明する。
【００３７】
また、ハンドスキャナ３には、走査された画像情報を電気信号に変換するためのラインイメージセンサ３ｂの他に、図１及び図２には図示されていないが、該ラインイメージセンサ３ｂを駆動するための駆動回路、更には、ラインイメージセンサ３ｂにより電気信号に変換された画像情報を前述のカメラユニット１により変換されるデジタル画像データの形式と同様の形式からなるデジタル画像データに変換するＡ／Ｄ変換回路が内蔵されている。
また、ハンドスキャナ３の筐体には、ハンドスキャナ３の動作モード（例えば、消去、メモリ送信など）を指定することができるハンドスキャナモード設定キー７や、ハンドスキャナ３あるいはカメラユニット１からの画像情報の取得の開始を指示するためのスタートキー４も備えられている。
【００３８】
ここに、スタートキー４は、後述するように、本発明においては重要な機能を果たすものであるが、スタートキー４は、操作性や制御信号の伝達の面から、ハンドスキャナ３側に備えられている場合が多い。しなしながら、本発明においては、必ずしもかかる場合に限るものではなく、画像情報機器本体側の操作部５に備えられていても構わない。
【００３９】
なお、カメラユニット１は、図３の２重枠の矢印に示すごとく、被写体を任意の方向から撮影可能とするように、カメラユニット１の取り付け角度を、ハンドスキャナ３に対して任意の位置に回転させて構成することも可能である。
【００４０】
図１乃至図３に示すように、本発明に係る画像情報取得装置を有するファクシミリ装置にあっては、第１の画像情報取得手段と第２の画像情報取得手段とを備えている。前記第１の画像情報取得手段を形成するハンドスキャナ３は、原稿を１次元走査により画像情報として読み取るラインイメージセンサ３ｂと、該ラインイメージセンサ３ｂと読み取り原稿との相対移動により回転する検出ローラ３ｒとを備えている。また、前記第２の画像情報取得手段を形成するカメラユニット１は、ＣＣＤなどを用いたエリアイメージセンサ（図示していない）と撮像レンズ２とを備えている。
【００４１】
更に、前述したごとく、本発明に係る画像情報取得装置にあっては、第１の画像情報取得手段を形成するハンドスキャナ３には、ラインイメージセンサ３ｂと、検出ローラ３ｒの他に、ラインイメージセンサ３ｂを駆動するための駆動回路、更には、ラインイメージセンサ３ｂにより電気信号に変換された画像情報を前述のカメラユニット１により変換されるデジタル画像データの形式と同様の形式からなるデジタル画像データに変換するＡ／Ｄ変換回路が内蔵されている。また、第２の画像情報取得手段を形成するカメラユニット１には、エリアイメージセンサと撮像レンズ２の他に、エリアイメージセンサを駆動するための駆動回路、更には、エリアイメージセンサにより電気信号に変換された画像情報を所定の形式のデジタル画像データに変換するＡ／Ｄ変換回路が内蔵されている。
【００４２】
また、図１乃至図３においては、第２の画像情報取得手段であるカメラユニット１が、第１の画像情報取得手段であるハンドスキャナ３と一体とされて形成されている例を示しているが、第２の画像情報取得手段であるカメラユニット１側に、電池などの電源と赤外線や電波などによる無線通信機能とを搭載することとして、ハンドスキャナ３内部に内蔵されている画像情報取得部の本体回路と、無線信号により相互通信することを可能にして、第１の画像情報取得手段であるハンドスキャナ３とは物理的に分離させて、ハンドスキャナ３と独立に動作させることとしても良い。
【００４３】
即ち、第２の画像情報取得手段であるカメラユニット１が、第１の画像情報取得手段であるハンドスキャナ３とは着脱自在な形態で構成され、かつ、画像情報取得部本体とは、図示していないが、有線信号及び／又は無線信号により相互通信を可能とする形態の構成とすることができる。
また、図２（Ａ）及び図２（Ｂ）に示すごとく、画像情報取得部本体であるハンドスキャナ３の筐体と、該ハンドスキャナ３の筐体が着脱可能とされている画像情報機器であるファクシミリ装置本体１０との間も有線信号又は無線信号により相互通信が可能であり、更には、有線信号及び無線信号の双方の通信手段を備えて、いずれの通信手段で通信をしても良い構成とすることもできる。
【００４４】
また、前記第１の画像情報取得手段に備えられている搬送ローラ即ち検出ローラ３ｒの回転情報が、エンコーダを介して、出力パルス信号即ちエンコーダ信号に変換されて、エンコーダ監視部にて検出されることにより、第１の画像情報取得手段であるハンドスキャナ３の回転位置（即ち、原稿面上の移動量）と共に、ハンドスキャナ３が原稿面上を動かされて１次元走査が実行されていることが検出される。
【００４５】
次に、図１乃至図３に示す本発明に係る画像情報取得装置の動作について、図４乃至図６を用いて説明する。
ここに、図４は、図１乃至図３に示すごとき画像情報取得装置即ちカメラユニット付きハンドスキャナにおける回路ブロックの構成の一例を示す回路ブロック構成図である。
図５は、図４に示す回路ブロック構成において、画像読取り動作時における各回路ブロックの動作の一例を説明するための動作フローチャートである。
更には、図６は、原稿面上の移動量を示すエンコーダの出力パルス信号と、該出力パルス信号に基づいて生成される動作モード信号との時間的な関係の一例を示すタイムチャートである。
【００４６】
図４において、主制御部１３は、当該ファクシミリ装置全体の機能を制御するためのプロセッサである。エンコーダ監視部１２は、前記回転角検出手段に連動して原稿面上の移動量を検出するエンコーダ１１からの出力パルス信号の有無に基づいて、ハンドスキャナ３の動作を監視するための信号を生成するものである。更には、取得すべき画像が、ハンドスキャナ３からの画像とするか、あるいは、カメラユニット１からの画像とするかを選択するための動作モード信号をも生成している。
【００４７】
ここに、エンコーダ監視部１２の主要な機能としては、検出ローラ３ｒの回転数及び回転方向の検出、エンコーダ１１の出力信号のチャタリング除去、及び、ハンドスキャナ３あるいはカメラユニット１のいずれから画像を取得するかを選択する前記動作モード信号の生成などがある。なお、前記動作モード信号については、後で詳細に説明する。
また、エンコーダ監視部１２は、場合によっては、かかる監視を主制御部１３のみにて分担することにより、エンコーダ監視部１２が存在していない形態とすることもあり得る。
【００４８】
図６に示すタイムチャートは、ハンドスキャナ３の動作状況に応じて得られるエンコーダ１１の出力パルス信号Ｐ２に基づいて生成されるエンコーダ監視部１２の出力信号即ち動作モード信号Ｐ３及びＰ４を示すものである。
図６において、信号Ｐ１は、ハンドスキャナ３が、原稿面上を移動している場合におけるエンコーダ１１の出力パルス信号即ちエンコーダ信号を示すものであり、パルス幅ｔdは、ハンドスキャナ３の原稿面上の移動速度に反比例するものである。而して、エンコーダ１１から出力されてくる出力パルス信号の数と該出力パルス信号のパルス幅ｔdとにより、ハンドスキャナ３の原稿面上の位置を検出することができる。
【００４９】
また、信号Ｐ２は、停止していたハンドスキャナ３が時刻Ｔ１の時点から動き始めて、時刻Ｔ３到達直後に再度停止した場合におけるエンコーダ１１の出力パルス信号即ちエンコーダ信号を示している。
【００５０】
ここに、エンコーダ監視部１２においては、エンコーダ１１からの出力パルス信号の変化点を検出する都度、出力パルス信号が終了した状態即ちハンドスキャナ３が停止状態になっているか否かを検出して確定するために、あらかじめ定められた確定時間ｔ2の時間を計時することとしている。而して、信号Ｐ３においては、最後の変化点である時刻Ｔ３から、確定時間ｔ2を経過した時刻Ｔ４の時点で、出力パルス信号Ｐ２が出力されていないことが検出されて、出力パルス信号Ｐ２の終了が確定される。
即ち、時刻Ｔ４は、最終パルスが得られた時刻Ｔ３よりも所定の確定時間ｔ2を経過した後で、次の出力パルス信号が、エンコーダ監視部１２に入力されてこない場合に、エンコーダ１１からの出力パルス信号即ちエンコーダ信号が出力されなくなったこと、即ち、ハンドスキャナ３が停止したことが確定された時刻を示している。
【００５１】
また、信号Ｐ３は、エンコーダ１１にて出力されている出力パルス信号即ちエンコーダ信号Ｐ２に基づいて、エンコーダ監視部１２と主制御部１３とにより、生成される信号であり、エンコーダ１１から出力パルス信号即ちエンコーダ信号Ｐ２が出力されていない時刻Ｔ１以前の時間領域においては、Ｌ（Ｌｏｗ）レベルの状態にあり、出力パルス信号即ちエンコーダ信号Ｐ２が出力されている時刻Ｔ１から時刻Ｔ４までの時間領域においては、Ｈ（Ｈｉｇｈ）レベルの状態にある。
一方、信号Ｐ４は、信号Ｐ３と逆極性の信号であり、エンコーダ１１からの出力パルス信号即ちエンコーダ信号Ｐ２が出力されない時刻Ｔ１以前の時間領域においては、Ｈレベルの状態にあり、出力パルス信号即ちエンコーダ信号Ｐ２が出力されている時刻Ｔ１から時刻Ｔ４までの時間領域においては、Ｌレベルの状態にある。
【００５２】
ここに、信号Ｐ３及びＰ４は、当該画像情報取得装置本体となるハンドスキャナ３の筐体部に備えられているスタートキー４が押下された時の動作モードを示す動作モード信号であり、信号Ｐ３が、ハンドスキャナ動作モードを示し、一方、信号Ｐ４が、カメラユニット動作モードを示している。
【００５３】
即ち、信号Ｐ３が、Ｈレベルにある状態（逆に、信号Ｐ４が、Ｌレベルの状態）にあれば、ハンドスキャナ３が原稿面上を動いている状態にあることを示しており、ハンドスキャナ動作モードにあることを意味し、スタートキー４押下により読み取り開始して取得すべき画像は、ハンドスキャナ３により１次元走査された画像である。
【００５４】
一方、信号Ｐ４が、Ｈレベルの状態（逆に、信号Ｐ３が、Ｌレベルの状態）にあれば、ハンドスキャナ３が原稿面上を動いていない状態にあることを示しており、カメラユニット動作モードにあることを示し、スタートキー４押下により読み取って取得すべき画像は、カメラユニット１によって撮像された画像である。
【００５５】
ここに、本発明に係るハンドスキャナ３には、前述したように、従来からのハンドスキャナモード設定キー７（例えば、消去キー、メモリ送信キーなど）の他に、画像情報取得装置（即ち、ハンドスキャナ３やカメラユニット１）の画像読取り開始の指示をするスタートキー４も備えられている。スタートキー４は、エンコーダ１１の出力パルス信号即ちエンコーダ信号と協働して作用して、前述のごとく、画像情報取得装置における画像情報の取得先を自動的に選択指定するための信号を生成しており、本発明において重要な役割を果たしている。
【００５６】
即ち、スタートキー４が押下された場合、読取り動作開始を指示するスタートキー信号が生成されて、エンコーダ監視部１２と主制御部１３とにより生成されている図６に示す動作モード信号Ｐ３あるいはＰ４により、前述したごとく、ハンドスキャナ３を動作させて、画像情報を取得するか、あるいは、カメラユニット１を動作させて、画像情報を取得するかの選択がなされることとなる。
【００５７】
例えば、前述のごとく、図６に示す動作モード信号Ｐ３が、Ｈ（Ｈｉｇｈ）レベル（即ち、信号Ｐ４がＬ（Ｌｏｗ）レベル）の状態にある場合に、スタートキー信号が生成された場合にあっては、ハンドスキャナ３の動作モードとなり、ハンドスキャナ３の動作が設定され、一方、図６に示す動作モード信号Ｐ４が、Ｈ（Ｈｉｇｈ）レベル（即ち、信号Ｐ３がＬ（Ｌｏｗ）レベル）の状態にある場合においては、カメラユニット１の動作モードとなり、カメラユニット１の動作が設定される。
【００５８】
なお、図６に示す動作モード信号Ｐ３及びＰ４のＨ，Ｌレベルの設定が、逆の極性である場合であっても構わない。即ち、スタートキー４押下時において、ハンドスキャナ３が動かされている状態にあるか否か即ちエンコーダ１１からの出力パルス信号即ちエンコーダ信号が発生されているか否かの関係に基づいて、ハンドスキャナ１１とカメラユニット１の画像取得動作の選択がなされている限り、本発明においては、信号Ｐ３及びＰ４のいずれの極性を用いても全く差し支えがないことは言うまでもない。
【００５９】
ここで、スタートキー４の押下により発生されるスタートキー信号は、前述のごとく、ハンドスキャナ３あるいはカメラユニット１の画像読取り動作の開始を指示する共通の信号であるが、かかるスタートキー４の押下における動作モードの自動的な選択設定動作に関して、更に詳細に説明する。
【００６０】
即ち、スタートキー４の押下が検出された後、あらかじめ定められた所定時間である検出時間ｔ1（図６に示す符号ｔ1）を経過するまでの間に、エンコーダ監視部１２がハンドスキャナ３の動作モードであるハンドスキャナ動作モード（即ち、信号Ｐ３がＨレベル）の出力信号を出力していた場合には（即ち、図３に示す検出ローラ３ｒの回転動作が検出されている場合には）、ハンドスキャナ３の動作が設定され、駆動回路３ａにて駆動されるラインイメージセンサ３ｂにより原稿面から画像情報が読み取られ、ラインイメージセンサ信号として出力される。
【００６１】
一方、スタートキー４の押下後、あらかじめ定められた所定時間である検出時間ｔ1を経過するまでの間、エンコーダ監視部１２がハンドスキャナ３の動作モードであるハンドスキャナ動作モード（即ち、信号Ｐ３がＨレベル）を出力せずに（即ち、図３に示す検出ローラ３ｒの回転動作が検出されていない状態で）、検出時間ｔ1を経過してしまった場合にあって、エンコーダ監視部１２がカメラユニット１の動作モードであるカメラユニット動作モード（即ち、信号Ｐ４がＨレベル）の出力信号を出力していた場合には、カメラユニット１の動作が設定され、駆動回路１ａにて駆動されるエリアイメージセンサ１ｂにより、撮像されている画像情報が読み取られ、エリアイメージセンサ信号として出力される。
なお、検出時間ｔ1の設定の意義については、後述する。
【００６２】
それぞれの動作モードの設定により読み込まれた画像情報は、それぞれ前記ラインイメージセンサ信号のＡ／Ｄ変換回路３ｃ及び前記エリアイメージセンサ信号のＡ／Ｄ変換回路１ｃにおいて、デジタル信号（即ち、デジタル画像データ）に変換されて、デジタル画像データとして出力され、主制御部１３からの制御信号に基づいて選択動作を行なうマルチプレクサ１４により、動作している側のデジタル画像データが選択されて、画像データメモリ１５に収納される。ここに、前述したごとく、Ａ／Ｄ変換回路３ｃにより変換出力されるデジタル画像データとＡ／Ｄ変換回路１ｃにより変換出力されるデジタル画像データとは、全く同様の信号形式からなるデジタル画像データである。
【００６３】
なお、前記ラインイメージセンサ信号のＡ／Ｄ変換回路３ｃと前記エリアイメージセンサ信号のＡ／Ｄ変換回路１ｃとが、別々に独立して備えられている例を示しているが、本発明にあっては、かかる場合に限るものではなく、両者を共用する形式としても構わない。
また、画像データメモリ１５の設置場所としては、画像情報取得装置本体であるハンドスキャナ３、あるいは、画像情報機器本体であるファクシミリ装置本体１０のいずれに設置することとしても良い。
【００６４】
一旦、画像データメモリ１５に格納されたデジタル画像データ（即ち、画像の取得先の如何によらず同一画像信号形式で格納されているデジタル画像データ）は、ハンドスキャナモード設定キー７や操作部５などを介して指示されている指示情報に基づいて出力される主制御部１３からの制御信号により、表示装置６などの表示手段や、印刷手段や、伝送手段、あるいは、蓄積手段などからなる各種の出力手段１６に自動的に転送されることとなるので、ハンドスキャナ３及びカメラユニット１の物理的な出力端子を出力先の接続部に切り替え接続したり、あるいは、転送のためのモード変更を行なうことは、一切不要である。
【００６５】
また、スタートキー４の押下により発生されるスタートキー信号は、前述のごとく、ハンドスキャナ３あるいはカメラユニット１の画像読取り動作の開始を指示する共通の信号であると共に、画像データメモリ１５に格納されているデジタル画像データを、出力すべき画像データとして出力することを確定する指示を行なう信号でもある。
即ち、スタートキー４は、画像データメモリ１５に収納されたデジタル画像データを、出力すべき画像情報として確定して、出力手段１６に出力するための契機を指示するための機能も有している。而して、一旦、画像データメモリ１５に格納されているデジタル画像データが、例えば、表示装置６などの表示手段に表示されることにより、誤りがない画像情報であることが確認された後で、スタートキー４を押下することにより、該デジタル画像データが、出力すべき画像情報として確定されて、送信されたり、印刷されたりすることが可能となる。
【００６６】
また、第２の画像情報取得手段であるカメラユニット１からの画像情報の読み取り動作は、前述の説明にあっては、スタートキー４の押下後、あらかじめ定められた検出時間ｔ1を経過した際に、はじめて開始されることとなるように、説明をしているが、本発明はかかる場合に限るものではない。即ち、スタートキー４の押下直後に、高速読み取り動作が可能なカメラユニット１からの画像情報の読み取り動作を開始させて、あらかじめ画像データメモリ１５に１フレーム分の画像情報を格納しておき、更に、スタートキー４の押下後にあらかじめ定められた検出時間ｔ1を経過するまでの間に更なるスタートキー４の押下が検出された場合にあっては、検出時間ｔ1の経過を待たずに、直ちに、カメラユニット１から出力されて画像データメモリ１５に格納されているデジタル画像データを出力すべき画像情報として確定させることも可能である。
【００６７】
即ち、第２の画像情報取得手段であるカメラユニット１からの画像情報に関しては、１回目のスタートキー４押下が検出された後、直ちに、画像情報を読み取って、一旦、画像データメモリ１５に格納しておき、エンコーダ監視部１２が、エンコーダ１１からの出力パルス信号即ちエンコーダ信号を検出していない状態にあって（即ち、検出ローラ３ｒの回転を検出していない状態にあって）、かつ、あらかじめ定められた所定時間である検出時間ｔ1を経過する前に、２回目のスタートキー４の押下が検出された場合にあっては、直ちに、カメラユニット１から出力されて画像データメモリ１５に格納されているデジタル画像データを、出力すべき画像情報として確定させるものである。
【００６８】
更には、第２の画像情報取得手段であるカメラユニット１からの画像情報に関しては、更に異なる画像取得動作を行わしめることも可能である。即ち、１回目のスタートキー４押下が検出された後、エンコーダ監視部１２が、エンコーダ１１からの出力パルス信号即ちエンコーダ信号を検出していない状態にあって（即ち、検出ローラ３ｒの回転を検出していない状態にあって）、かつ、あらかじめ定められた所定時間である検出時間ｔ1を経過する前に、２回目のスタートキー４の押下が検出された場合に、カメラユニット１の画像読み取り動作を起動させて、画像データメモリ１５の格納する画像情報の取得を開始させることとしても良い。
かかる場合にあっては、あらかじめ定められた所定時間である検出時間ｔ1は、一旦スタートキーが押下された後においてスタートキー４の再押下が有効となる再押下有効期間を示すものであり、１回目のスタートキー押下以降、該再押下有効期間内における２回目のスタートキー押下までに読み取られていた画像情報はすべて無効となり、２回目のスタートキー押下により、新たに、カメラユニット１から画像情報を取得し直すことが可能となる。
【００６９】
以上に説明したごとき動作については、図５に示す動作フローチャートを参照することにより、より明確になる。
次に、図５に示す動作フローチャートを用いて、図４に示す回路ブロックの動作について更に詳細に説明する。
【００７０】
まず、スタートキー４が押下されるまで待ち合わせ、スタートキー４が押下されたことが、制御部１３にて検出されると（ステップＳ１のＹＥＳ）、制御部１３においては、まず、カメラユニット１側からの画像を画像データメモリ１５に格納すべく、カメラユニット動作のモード設定を行ない（ステップＳ２）、次いで、カメラユニット１の駆動回路１ａを駆動することにより、カメラユニット１にて撮像されている画像を、ＣＣＤなどのエリアイメージセンサ１ｂを介して読み取る（ステップＳ３）。
【００７１】
読み取られた画像は、Ａ／Ｄ変換回路１ｃにより、所定の信号形式からなるデジタル画像データに変換されて、マルチプレクサ１４に出力される（ステップＳ４）。マルチプレクサ１４には、主制御部１３より、カメラユニット１側が選択されていることを示す制御信号が供給されているので、Ａ／Ｄ変換回路１ｃからのデジタル画像データは、マルチプレクサ１４を介して、画像データメモリ１５に出力されて、画像データメモリ１５に格納される（ステップＳ５）。
【００７２】
ここで、１フレーム分の画像データが取得されて画像データメモリ１５に格納されたか確認がなされ（ステップＳ６）、まだ格納されていない状態にあれば（ステップＳ６のＮＯ）、引き続きカメラユニット１からの画像を読み取るために、ステップＳ３に戻り、カメラユニット１の駆動回路１ａを駆動する動作を繰り返す。
【００７３】
一方、１フレーム分の画像データが取得された状態に到達した場合は（ステップＳ６のＹＥＳ）、当該画像情報取得装置の動作を確実にするために設けられているあらかじめ定められた所定時間即ち検出時間ｔ1（図５の動作フローチャートにおいては、一例として、１０秒としている）だけ、検出ローラ３ｒの回転の検出動作（即ち、エンコーダ監視部１２におけるエンコーダ１１の出力パルス信号の検出動作）を繰り返すためのステップＳ７以降の動作に移行する。該検出時間ｔ1の役割即ち機能については、後で更に詳細に説明する。
【００７４】
まず、スタートキー押下後、検出ローラ３ｒの回転の検出動作のタイムアウト値となる前記検出時間ｔ1を設定する（ステップＳ７）。次に、カメラユニット１からの画像情報が出力すべき画像とされている場合に備えて、スタートキー４が押下されている状態かの確認がなされる（ステップＳ８）。スタートキー４が押下されている状態であれば（ステップＳ８のＹＥＳ）、カメラユニット１から出力されて画像データメモリ１５に格納されているデジタル画像データが、取得されて出力すべき画像情報であると確定され（ステップＳ９）、出力の指示を待ち合わせるスタンバイ状態に遷移する。
【００７５】
一方、スタートキー４が押下されていない状態であれば（ステップＳ８のＮＯ）、ステップＳ７で設定されたあらかじめ定められた所定時間即ち検出時間ｔ1が経過したタイムアップ状態に至っているか確認される（ステップＳ１０）。
【００７６】
もし、タイムアップの状態に至っていない場合（ステップＳ１０のＮＯ）、ハンドスキャナ３を動かして検出ローラ３ｒが回転している状態即ちエンコーダ１１からの出力パルス信号であるエンコーダ信号が発生されていて、エンコーダ監視部１２において、該エンコーダ信号が検出され、図６に示す信号Ｐ３がＨレベルに遷移している状態になっているかチェックされる（ステップＳ１１）。エンコーダ信号が発生していない場合、即ち、信号Ｐ３がＨレベルではなく、Ｌレベルにある場合（ステップＳ１１のＮＯ）、ステップＳ８に戻り、再度、スタートキー４が押下されているか確認する動作が繰り返される。
【００７７】
ここで、スタートキー４の押下が検出されれば（ステップＳ８のＹＥＳ）、前述のごとく、エンコーダ信号が発生していない状態即ちハンドスキャナ３が動いていなく検出ローラ３ｒが回転していない状態で、スタートキー４が押下されている状態であり、カメラユニット動作モードが選択されたものとして、カメラユニット１から入力された画像を出力するために確定する動作に移行する（ステップＳ９）。
【００７８】
一方、スタートキー４の押下が検出されず（ステップＳ８のＮＯ）、かつ、エンコーダ信号も検出されていない状態（ステップＳ１１のＮＯ）が継続し、ステップＳ７で設定されているあらかじめ定められた所定時間即ち検出時間ｔ1が経過したタイムアップ状態に至ってしまった場合（ステップＳ１０のＹＥＳ）、検出時間ｔ1の間、検出ローラ３ｒの回転が検出されず、ハンドスキャナ３は動かされていない状態にあるので、カメラユニット動作モードが選択されているものとして、カメラユニット１から入力された画像を出力するために確定する動作に移行する（ステップＳ９）。
【００７９】
また、ステップＳ１１において、ハンドスキャナ３が動かされている状態にあることを示す検出ローラ３ｒの回転に伴うエンコーダ信号が検出された場合（ステップＳ１１のＹＥＳ）、ハンドスキャナ３により１次元走査された画像を読み取る動作を指示するハンドスキャナ動作モードが選択されているものとして、一旦、画像データメモリ１５に格納されていたカメラユニット１からのデジタル画像データを廃棄する（ステップＳ１２）。
【００８０】
次いで、ハンドスキャナ３からの画像を画像データメモリ１５に格納すべく、ハンドスキャナ動作のモード設定を行ない（ステップＳ１３）、更に、ハンドスキャナ３の駆動回路３ａを駆動することにより、原稿面上におけるハンドスキャナ３の１次元走査により、ラインイメージセンサ３ｂを介して、原稿面の画像情報を読み取る（ステップＳ１４）。
【００８１】
読み取られた画像は、Ａ／Ｄ変換回路３ｃにより所定の画像信号形式のデジタル画像データに変換されて、マルチプレクサ１４に出力される（ステップＳ１５）。マルチプレクサ１４には、主制御部１３より、ハンドスキャナ３側が選択されていることを示す制御信号が供給されているので、Ａ／Ｄ変換回路３ｃからのデジタル画像データは、マルチプレクサ１４を介して、画像データメモリ１５に出力されて、画像データメモリ１５に格納される（ステップＳ１６）。
なお、Ａ／Ｄ変換回路３ｃによりデジタル変換されたデジタル画像データの画像信号形式と、前述のカメラユニット１のＡ／Ｄ変換回路１ｃによりデジタル変換されたデジタル画像データの画像信号形式とは、前述のごとく、全く同様のデジタル画像信号形式に変換して出力されるように制御されている。
【００８２】
ここで、１ページ分の画像データが取得されて画像データメモリ１５に格納されたか確認がなされ（ステップＳ１７）、まだ格納されていない状態にあれば（ステップＳ１７のＮＯ）、１ページには達していないとしても、必要とする画像情報がすべて読み取られている状態にあり、今まで画像データメモリ１５に格納されているデジタル画像データを出力すべき画像として確定しても良いか否かを判定するために、スタートキー４が押下されているかチェックされる（ステップＳ１８）。
【００８３】
スタートキー４が押下されていない状態にあれば（ステップＳ１８のＮＯ）、必要とする画像情報すべてがまだ読み取られていない状態にあって、出力すべき画像情報として確定されていない状態であり、引き続き画像を読み取るべき状態にあることを示しているので、ハンドスキャナ３からの画像を更に読み取るために、ステップＳ１４に戻り、ハンドスキャナ３の駆動回路３ａを駆動する動作を繰り返す。
【００８４】
一方、スタートキー４が押下されている状態が検出された場合（ステップＳ１８のＹＥＳ）、画像データメモリ１５に格納されている画像が１ページ分には達していないが、必要とする画像情報すべてが既に読み取られている状態にあって、ハンドスキャナ３から入力されてきた画像が、出力すべき画像として確定されていることを示しており、ハンドスキャナ３を動かして走査して読み取ったデジタル画像データを出力する旨を指示しているので、ハンドスキャナ３から入力された画像を出力するための画像として確定し（ステップＳ１９）、出力の指示を待ち合わせるスタンバイ状態に遷移する。
【００８５】
また、ステップＳ１７において、１ページ分のデジタル画像データが既に取得された状態に到達した場合（ステップＳ１７のＹＥＳ）、ハンドスキャナ３を動かして走査して読み取ったデジタル画像データを出力すべき状態に達しているので、ハンドスキャナ３から入力された画像を出力するために確定する動作に移行する（ステップＳ１９）。
【００８６】
なお、図５においては、カメラユニット１からの画像を読み取る動作が、ステップＳ２乃至Ｓ６に示すごとく、スタートキー４の押下直後（即ち、ステップＳ１の直後）において実行されることとしているが、本発明はかかる場合のみに限るものではない。
【００８７】
即ち、前述したごとく、例えば、ステップＳ２乃至Ｓ６の位置でカメラユニット１からの画像を画像データメモリ１５に格納する代わりに、ステップＳ８において、スタートキー４の押下を検出した場合に、即ち、２回目のスタートキー４の押下を検出した場合に（ステップＳ８のＹＥＳ）、はじめて、カメラユニット動作モードが設定されたものとして、ステップＳ９におけるカメラユニット１からの画像を確定する動作に先立って、カメラユニット１からの画像を画像データメモリ１５に格納させる動作（即ち、ステップＳ２乃至Ｓ６の動作と同一の動作）を実施させることとしても良い。かかる場合にあっては、１回目のスタートキー４の押下後、検出時間ｔ1の時間が経過するまでの間に、２回目のスタートキー４の押下がなされた際には、それ以前にカメラユニット１により撮像されていた画像は、全て無効とされて、２回目のスタートキー４の押下時点にて、カメラユニット１により撮像されている画像が読み込まれることとなる。
【００８８】
あるいは、カメラユニット１からの更に異なる読み取り動作として、次のごとき動作としても良い。即ち、ステップＳ２乃至Ｓ６の位置でカメラユニット１からの画像を画像データメモリ１５に格納する代わりに、ステップＳ１０において、スタートキー４の押下後、検出時間ｔ1の時間が経過するまでの間、ハンドスキャナ３の検出ローラ３ｒの回転が検出されず、ハンドスキャナ３が動かされていない状態が継続した場合に、即ち、検出時間ｔ1の時間がタイムアップした場合（ステップＳ１０のＹＥＳ）、はじめて、カメラユニット動作モードが確定されたものとして、ステップＳ９におけるカメラユニット１からの画像を確定する動作に先立って、カメラユニット１からの画像を画像データメモリ１５に格納させる動作（即ち、ステップＳ２乃至Ｓ６の動作と同一の動作）を実施させることとしても良い。
【００８９】
なお、図５に示す動作フローチャートにおいては、ステップＳ７乃至ステップＳ１１の間に、ステップＳ１に示すスタートキー４の押下後、あるいは、ステップＳ２乃至Ｓ６に示すカメラユニット１からの１フレーム分の画像の読み取り動作終了後、あらかじめ定められた所定時間である検出時間ｔ1（例えば、図５の例では、１０秒）が経過するまでの間、ハンドスキャナ３を動かすことに伴う検出ローラ３ｒの回転を検出する動作、即ち、エンコーダ監視部１２におけるエンコーダ信号の検出動作を繰り返す処理が設けられている。該検出時間ｔ1は、当該画像情報取得装置のハンドスキャナ３を実際に操作する段階においては、非常に重要な役割を担っているものであり、該検出時間ｔ1を設けている意義は次の通りである。
【００９０】
即ち、ハンドスキャナ３により画像情報を読み取りたい場合にあっては、スタートキー４を押下後（即ち、図６に示す時刻Ｔ０の後）に、ハンドスキャナ３を操作して、原稿面上を移動させて、原稿面上の画像情報を読み取ることになる。ここで、スタートキー４を押下後、直ちにハンドスキャナ３を操作することができた場合には問題にはならないが、スタートキー４の押下後、ハンドスキャナ３の操作を開始するまでの操作遅れ時間が大きくなっている場合にあっては、該操作遅れ時間の間、エンコーダ監視部１２は、ハンドスキャナ３の検出ローラ３ｒの回転を検出することができず、誤って、ハンドスキャナ動作モードではなく、カメラユニット動作モードに設定してしまう場合が起こり得る。あらかじめ定められた所定時間である検出時間ｔ1は、かかる事態の発生を防ぐものである。
【００９１】
即ち、例えば、図６に示す時刻Ｔ０の時点で、スタートキー４が押下された場合、エンコーダ監視部１２が、直ちに、時刻Ｔ０において、エンコーダ１１からの出力パルス信号Ｐ２の有無を検出して、動作モードを設定せんとするものではなく、スタートキー４が押下された時点Ｔ０から所定時間である検出時間ｔ1を経過した後の時刻Ｔ２の時点までの間に亘って、エンコーダ監視部１２により、継続して、エンコーダ１１からの出力パルス信号Ｐ２の出力が監視されていて、検出時間ｔ1の経過までの間に出力パルス信号Ｐ２の出力が検出されるか否かに応じて、ハンドスキャナ動作モードかあるいはカメラユニット動作モードかを設定するものである。かかる検出時間ｔ1を設けることにより、誤った動作モード設定を防止することが可能となり、画像情報取得装置の動作をより確実に設定することが可能となる。
【００９２】
また、本発明に係る画像情報取得装置を備えた画像情報機器であるファクシミリ装置本体１０には、読み取られた画像を表示することができる出力手段１６として、図１に示すように表示装置６が備えられており、ハンドスキャナ３あるいはカメラユニット１により読み取られた画像情報を表示して確認することができる。
かかる場合においては、カメラユニット１の読み取り速度は高速であるので、エンコーダ監視部１２からの動作モードには関係なく、常時、カメラユニット１の読み取り情報を表示装置６に表示させておき、スタートキー４の押下後において、例えば、図５に示す動作フローチャートのステップＳ８の２回目のスタートキー４の押下などにより、カメラユニット動作モードが設定された場合には、直ちにカメラユニット１から表示装置６に表示させている表示画像情報を取得すべき画像情報として、取り込むこととしても良い。
【００９３】
また、スタートキー４の操作は、単に、ハンドスキャナ３あるいはカメラユニット１からの画像の読み取り動作の開始を指示したり、出力すべき画像の確定を指示したりするのみではなく、前述のごとく、最初のスタートキー４の押下後、スタートキー４の操作が検出時間ｔ1を経過するまでの期間である有効な期間に再度押下した場合にあっては、最初のスタートキー４の操作を無効とし、その間にカメラユニット１から読み取られた画像情報を無効とするなどの機能を付与することとしても良い。
【００９４】
なお、以上に説明した実施例においては、画像情報機器としてファクシミリ装置を、本発明に好適な実施の一例を示すものとして説明したが、本発明に係る画像情報機器としては、これに限るものではなく、ワードプロセッサ，画像複写装置，画像処理装置や他の画像情報機器への応用は勿論のこと、本発明を逸脱しない範囲において、種々の変形実施が可能である。
【００９５】
【発明の効果】
以上に説明したごとく、本発明に係る画像情報取得装置及び該画像情報取得装置を備えた画像情報機器によれば、画像情報機器本体に着脱可能な第１の画像情報取得手段であるハンドスキャナを備え、かつ、エリアイメージセンサと撮像レンズとを備えた第２の画像情報取得手段であるカメラユニットを該ハンドスキャナと一体化させて固着もしくは着脱可能な形態として備えている。更に、かかる２つの画像情報取得手段のうち、印刷物などの原稿面を手動走査するハンドスキャナにより画像情報を取得するか、あるいは、人物などの立体物を含め撮像対象を撮像レンズにて撮像するカメラユニットにより画像情報を取得するかを、ユーザが操作するスタートキーとハンドスキャナの操作状態により、自動的に選択することを可能とすると共に、該スタートキーの操作により、画像情報機器に対して出力すべき画像情報を確定することも可能としている。
【００９６】
更には、前記ハンドスキャナや前記カメラユニットから出力されるデジタル画像データの画像信号形式を統一することにより、画像情報を画像情報機器に出力する際に、物理的な接続を変更したり、切り替えを行なうという煩わしい操作をする必要もなく、前記スタートキーを操作するのみという極めて簡単な操作により、画像情報を取得することが可能である。
【００９７】
また、画像情報取得装置としてデジタルカメラが接続されるインタフェースを備えている従来の画像情報取得装置のごとく、デジタルカメラなどの外部画像機器との接続口を設けるために余分のスペースを必要としたり、更には、かかる外部画像機器を接続して画像入力を可能とするためのハードウェアやソフトウェアの追加に伴う開発負荷が増加したりすることもなく、装置本体を小型化できると共に、本体価格の上昇も防ぐことが可能となる。
【００９８】
而して、コストアップを防ぎつつ、シート状の薄い原稿のみではなく、書籍の特定ページや新聞記事の一部あるいは人物などの立体物などをも含む広範囲の画像情報を、単一の画像情報取得装置により、容易に取得することを可能とすると共に、簡単な操作にて取り扱うことを可能としている。
【図面の簡単な説明】
【図１】本発明に係る画像情報取得装置を備えた画像情報機器の一例として、カメラユニット付きハンドスキャナを備えたファクシミリ装置の全体構成を示す斜視図である。
【図２】図１に示すカメラユニットが取り付けられたハンドスキャナをファクシミリ装置本体から取り外した状態を示す斜視図である。
【図３】図１に示すカメラユニット１が取り付けられたハンドスキャナ３を下方より見た場合の斜視図である。
【図４】図１乃至図３に示すカメラユニット付きハンドスキャナにおける回路ブロックの構成の一例を示す回路ブロック構成図である。
【図５】図４に示す回路ブロック構成において、画像読取り動作時における各回路ブロックの動作の一例を説明するための動作フローチャートである。
【図６】原稿面上の移動量を示すエンコーダの出力パルス信号と、該出力パルス信号に基づいて生成される動作モード信号との時間的な関係の一例を示すタイムチャートである。
【符号の説明】
１…カメラユニット、１ａ…駆動回路、１ｂ…エリアイメージセンサ、１ｃ…Ａ／Ｄ変換回路、２…撮像レンズ、３…ハンドスキャナ、３ａ…駆動回路、３ｂ…ラインイメージセンサ、３ｃ…Ａ／Ｄ変換回路、３ｒ…検出ローラ、３ｗ…無線送受信部、４…スタートキー、５…操作部、６…表示装置、７…ハンドスキャナモード設定キー、８…無線送受信部、１０…ファクシミリ装置本体、１１…エンコーダ、１２…エンコーダ監視部、１３…主制御部、１４…マルチプレクサ、１５…画像データメモリ、１６…出力手段。
【図１】
0003672512.tif 000002
【図２】
0003672512.tif 000003
【図３】
0003672512.tif 000004
【図４】
0003672512.tif 000005
【図５】
0003672512.tif 000006
【図６】
0003672512.tif 000007